(57)【要約】      （修正有）【課題】スーパーキャパシタや磁気コンデンサ等の体積が微小な蓄電素子に応用できる蓄電装置の応用構造を提供する。【解決手段】複数個の蓄電素子１５０と、少なくとも一組の正負極構造とを備えた蓄電装置の応用構造１００である。複数個の蓄電素子１５０の配列構造は、数量の異なる蓄電素子１５０を直列または並列に接続しやすくするものであり、各々の蓄電素子１５０は平面型正極端子１５３と、平面型負極端子１５６とを備え、平面型負極端子１５６および平面型正極端子１５３は同じ辺、または平面型正極端子１５３の対向辺に配置されている。少なくとも一組の正負極構造が対外的に接続される。【選択図】図１
2010027589.tif 000002
【特許請求の範囲】
【請求項１】
蓄電装置の応用構造であって、
数量の異なる蓄電素子を直列または並列接続しやすくする配列構造である複数個の蓄電素子と、
対外的に接続される少なくとも一組の正負極構造と、を備え、
前記複数個の蓄電素子の各々は、
平面型正極端子と、
前記平面型正極端子と同じ辺、または平面型正極端子の対向辺に配置されている平面型負極端子とを備えた、ことを特徴とする蓄電装置の応用構造。
【請求項２】
前記複数個の蓄電素子が電池またはキャパシタである、ことを特徴とする請求項１に記載に蓄電装置の応用構造。
【請求項３】
前記複数個の蓄電素子がアレイ配列されている、ことを特徴とする請求項１に記載の蓄電装置の応用構造。
【請求項４】
Ｎ個ごとの前記複数個の蓄電素子の正極端子を並列接続するための第１の平面型結線構造と、
Ｎ個ごとの前記複数個の蓄電素子の負極端子を並列接続するための第２の平面型結線構造と、を更に備え、
Ｎが２以上の正の整数である、ことを特徴とする請求項３に記載の蓄電装置の応用構造。
【請求項５】
前記複数個の蓄電素子の前記平面型正極端子および前記平面型負極端子が長方形の四辺に沿って配列されている、ことを特徴とする請求項１に記載の蓄電装置の応用構造。
【請求項６】
Ｎ個ごとの前記複数個の蓄電素子の正極端子を並列接続するための第１の平面型結線構造と、
Ｎ個ごとの前記複数個の蓄電素子の負極端子を並列接続するための第２の平面型結線構造と、を更に備え、
Ｎが２以上の正の整数である、ことを特徴とする請求項５に記載の蓄電装置の応用構造。
【発明の詳細な説明】
【技術分野】
【０００１】
本発明は、蓄電装置の応用構造に関する。
【背景技術】
【０００２】
電気エネルギーの蓄積部材は、例えば電気回路中に用いられるキャパシタ、および携帯機器に用いられる電池といった類の構成要素という具合に我々の生活において重要な部分を占めており、蓄電手段は電子装置が実行する機能および作動時間に影響し、そして性能および信頼性は各々の設計で要求されるものである。
【０００３】
以前は、予備電源としての解決方法はつまり電池であり、主に鉛酸電池であった。しかし現在では、リチウムイオン、ニッケル水素電池などの先進的な電池の技術、燃料電池、太陽エネルギー電池および多層キャパシタなどを含む数々の選択により予備電源の需要を満たしている。
【０００４】
スーパーキャパシタ、または電気二重層コンデンサ（ＥＤＬＣ）と呼ばれるものは電解コンデンサに比べて、電力密度および実質的なエネルギー密度が非常に高い。過去数年においては、これら蓄電素子はすでに民生用の電子、工業および自動車などの数多くの分野に応用されている。現在、スーパーキャパシタは電力密度が２０ｋＷ／Ｋｇに達する超大電力の装置が既存しており、スーパーキャパシタのサイズは非常にコンパクト（小型のスーパーキャパシタは通常切手サイズがそれよりも小さい）であるにも関わらず、蓄積できるエネルギー量は従来のキャパシタよりも多い。大多数のスーパーキャパシタの容量はファラデー（Ｆ）で表わされて、１Ｆから５０００Ｆの間であり、そして放電速度は早くすることも遅くすることもできるうえ、寿命はとても長く、端末製品におけるライフサイクル全般にわたって用いることができる。
【０００５】
将来的には、例えばスーパーキャパシタおよび磁気コンデンサといったこの類の体積が微小な蓄電素子は数多くの分野に広く応用され、その応用構造においても発展の余地がかなりある。
【発明の開示】
【発明が解決しようとする課題】
【０００６】
したがって本発明の目的は、蓄電装置の応用構造を提供するところにある。
【課題を解決するための手段】
【０００７】
本発明の一実施例によれば、本蓄電装置の応用構造は、複数個の蓄電素子と、少なくとも一つの正負極構造とを備えている。複数個の蓄電素子の配列構造は、数量の異なる蓄電素子を直列または並列に接続しやすくするものであり、各々の蓄電素子は平面型正極端子と、平面型負極端子とを備え、平面型負極端子および平面型正極端子は同じ辺、または平面型正極端子の対向辺に配置されている。少なくとも一組の正負極構造が対外的に接続される。
【発明を実施するための最良の形態】
【０００８】
続いて、本発明の実施例の詳細な説明を参照する。このうち提示する範例は図面と合わせて同時に説明する。可能であるいずれかの状況下において、図面および説明にて使用される同じ符号はいずれも同一または類似する部材を示すものである。
【０００９】
下記する実施例における蓄電素子は、例えばスーパーキャパシタ、磁気コンデンサおよび微（小）タイプの平面型電池などといった高効率で、切手サイズまたはより小型化できる蓄電素子である。従来の蓄電装置は単に一組の正負極構造で対外的に接続しているだけであるが、下記する実施例における蓄電装置は一組または複数組の正負極構造で対外的に接続することができるようになっている。
【００１０】
図１を参照する。これは本発明の一実施例に係る蓄電装置の応用構造の概略図を示している。この蓄電装置の応用構造１００における蓄電素子はアレイ配列されている。このような配列構造は数量の異なる蓄電素子の直列または並列接続に有利である。このうち、各々の蓄電素子は、例えば蓄電素子１５０は平面型正極端子１５３と平面型負極端子１５６とを備えるという具合に、接点として各々独立した平面型正極端子と平面型負極端子を備えている。
【００１１】
この実施例では１６個の蓄電素子を４行４列で配列したものを例として説明しており、対外的に接続する場合、このような配列構造は直列または並列接続しやすく、直列または並列接続するときには、電源管理または電子装置などの実際の需要に応じて、接続されている蓄電素子の数量を柔軟に調整または設計することができ、そして直列または並列接続した後に構成される対外的な正負極構造は、蓄電装置の応用構造１００の同じ辺、隣接する辺または対向する辺に配置することができる。実際の応用に際しては、これら蓄電素子は同時に充電または放電することができ、しかも組数の異なる正負極を個別に充電・放電動作させることもできる。以下では異なる並列接続の態様を例として説明する。
【００１２】
図２を参照する。これは本発明の一実施例に係る第１種の並列接続態様の概略図を示している。蓄電装置の応用構造２００における蓄電素子の正極端子は第１の平面型結線構造２１０で接続されるとともに、対外的に接続される正極構造として蓄電装置の応用構造２００の外側に延在しており、似たような方式で、蓄電装置の応用構造２００における蓄電素子の負極端子は第２の平面型結線構造２２０で接続されるとともに、対外的に接続される負極構造として蓄電装置の応用構造２００の外側に延在している。この対外的な正負極構造は蓄電装置の応用構造２００の同じ辺に配置されている。
【００１３】
図３を参照する。これは本発明の一実施例に係る第２種の並列接続態様の概略図を示している。蓄電装置の応用構造３００において、８個の蓄電素子ごとの正極端子はそれぞれ第１の平面型結線構造３１０ａおよび３１０ｂで接続されるとともに、対外的に接続される正極構造として蓄電装置の応用構造３００の外側に延在しており、似たような方式で、蓄電装置の応用構造３００において、８個の蓄電素子ごとの負極端子はそれぞれ第２の平面型結線構造３２０ａおよび３２０ｂで接続されるとともに、対外的に接続される負極構造として蓄電装置の応用構造３００の外側に延在している。この２組の対外的な正負極構造は蓄電装置の応用構造３００の同じ辺に配置されている。
【００１４】
図４を参照する。これは本発明の一実施例に係る第３種の並列接続態様の概略図を示している。蓄電装置の応用構造４００において、４個の蓄電素子ごとの正極端子はそれぞれ第１の平面型結線構造４１０ａ、４１０ｂ、４１０ｃおよび４１０ｄで接続されるとともに、対外的に接続される正極構造として蓄電装置の応用構造４００の外側に延在しており、似たような方式で、蓄電装置の応用構造４００において、４個の蓄電素子ごとの負極端子はそれぞれ第２の平面型結線構造４２０ａ、４２０ｂ、４２０ｃおよび４２０ｄで接続されるとともに、対外的に接続される負極構造として蓄電装置の応用構造４００の外側に延在している。この４組の対外的な正負極構造は蓄電装置の応用構造４００の４つの辺上に各々配置されている。
【００１５】
図５を参照する。これは本発明の一実施例に係る第４種の並列接続態様の概略図を示している。蓄電装置の応用構造５００において、４個の蓄電素子（同じ列に配置されている）ごとの正極端子はそれぞれ第１の平面型結線構造５１０ａ、５１０ｂ、５１０ｃおよび５１０ｄで接続されるとともに、対外的に接続される正極構造として蓄電装置の応用構造５００の外側に延在しており、似たような方式で、蓄電装置の応用構造５００において、４個の蓄電素子（同じ列に配置されている）ごとの負極端子はそれぞれ第２の平面型結線構造５２０ａ、５２０ｂ、５２０ｃおよび５２０ｄで接続されるとともに、対外的に接続される負極構造として蓄電装置の応用構造５００の外側に延在している。この４組の対外的な正負極構造は蓄電装置の応用構造５００の対向する辺上に配置されている。
【００１６】
図６を参照する。これは本発明の他の実施例に係る蓄電装置の応用構造の概略図を示している。この蓄電装置の応用構造６００は複数個の蓄電素子を備えており、このうち各々の蓄電素子は、例えば蓄電素子６５０は平面型正極端子６５３と平面型負極端子６５６とを備えるという具合に、接点として各々独立した平面型正極端子と平面型負極端子を備えている。蓄電素子の平面型正極端子および平面型負極端子は長方形の四辺に沿って配列されており、このような配列構造は数量の異なる蓄電素子の直列または並列接続に有利であって、実際の応用においては、これら蓄電素子は同時に充電または放電することができる。
【００１７】
この実施例では１６個の蓄電素子の平面型正極端子および平面型負極端子が長方形の四辺に沿って配列されているものを例として説明しており、対外的に接続する場合、このような配列構造は直列または並列接続しやすく、直列または並列接続するときには、電源管理または電子装置などの実際の需要に応じて、接続されている蓄電素子の数量を柔軟に調整または設計することができ、そして直列または並列接続した後に構成される対外的な正負極構造は、蓄電装置の応用構造６００の同じ辺、隣接する辺または対向する辺に配置することができ、組数の異なる正負極構造を個別に充電・放電動作させることもできる。以下では異なる並列接続の態様を例として説明する。
【００１８】
図７を参照する。これは本発明の他の実施例に係る第１種の並列接続態様の概略図を示している。蓄電装置の応用構造７００における蓄電素子の正極端子は第１の平面型結線構造７１０で接続されるとともに、対外的に接続される正極構造として蓄電装置の応用構造７００の外側に延在しており、似たような方式で、蓄電装置の応用構造７００における蓄電素子の負極端子は第２の平面型結線構造７２０で接続されるとともに、対外的に接続される負極構造として蓄電装置の応用構造７００の外側に延在している。この対外的な正負極構造は蓄電装置の応用構造７００の同じ辺に配置されている。
【００１９】
図８を参照する。これは本発明の他の実施例に係る第２種の並列接続態様の概略図を示している。蓄電装置の応用構造８００において、８個の蓄電素子ごとの正極端子はそれぞれ第１の平面型結線構造８１０ａおよび８１０ｂで接続されるとともに、対外的に接続される正極構造として蓄電装置の応用構造８００の外側に延在しており、似たような方式で、蓄電装置の応用構造８００において、８個の蓄電素子ごとの負極端子はそれぞれ第２の平面型結線構造８２０ａおよび８２０ｂで接続されるとともに、対外的に接続される負極構造として蓄電装置の応用構造８００の外側に延在している。この２組の対外的な正負極構造は蓄電装置の応用構造８００の対向する辺に配置されている。
【００２０】
図９を参照する。これは本発明の他の実施例に係る第３種の並列接続態様の概略図を示している。蓄電装置の応用構造９００において、４個の蓄電素子ごとの正極端子はそれぞれ第１の平面型結線構造９１０ａ、９１０ｂ、９１０ｃおよび９１０ｄで接続されるとともに、対外的に接続される正極構造として蓄電装置の応用構造９００の外側に延在しており、似たような方式で、蓄電装置の応用構造９００において、４個の蓄電素子ごとの負極端子はそれぞれ第２の平面型結線構造９２０ａ、９２０ｂ、９２０ｃおよび９２０ｄで接続されるとともに、対外的に接続される負極構造として蓄電装置の応用構造９００の外側に延在している。この４組の対外的な正負極構造は蓄電装置の応用構造９００の４つの辺上に各々配置されている。
【００２１】
各々のシステム（メモリ、プロセッサ、オペレーティングシステムなど）の実際の需要に応じて、電源管理システムは上記した組数の異なる対外的に接続される正負極構造により需要を満たすことができる。一組の正負極構造に比べて、本発明は完全に放電したとき、引き続き使用するには交換または充電を要するし、また一実施例においては、各々の蓄電素子を順次放電させることで、長時間電源を供給するニーズを満たすことができる。
【００２２】
確かに本発明では好ましい実施例を上記のように開示したが、これは本発明を限定するためのものではなく、当業者であれば、本発明の技術的思想および範囲を逸脱することなく、各種の変更および付加を行うことができるので、本発明の保護範囲は別紙の特許請求の範囲による限定を基準と見なす。
【図面の簡単な説明】
【００２３】
本発明の上記およびその他目的、特徴、長所および実施例をより明確に理解できるよう、添付の図面の簡単な説明を下記のとおり行う。
【図１】本発明の一実施例に係る蓄電装置の応用構造の概略図。
【図２】本発明の一実施例に係る第１種の並列接続態様の概略図。
【図３】本発明の一実施例に係る第２種の並列接続態様の概略図。
【図４】本発明の一実施例に係る第３種の並列接続態様の概略図。
【図５】本発明の一実施例に係る第４種の並列接続態様の概略図。
【図６】本発明の他の実施例に係る蓄電装置の応用構造の概略図。
【図７】本発明の他の実施例に係る第１種の並列接続態様の概略図。
【図８】本発明の他の実施例に係る第２種の並列接続態様の概略図。
【図９】本発明の他の実施例に係る第３種の並列接続態様の概略図。
【符号の説明】
【００２４】
１００  蓄電装置の応用構造
１５０  蓄電素子
１５３  平面型正極端子
１５６  平面型負極端子
２００  蓄電装置の応用構造
２１０  第１の平面型結線構造
２２０  第２の平面型結線構造
３００  蓄電装置の応用構造
３１０ａ〜３１０ｂ  第１の平面型結線構造
３２０ａ〜３２０ｂ  第２の平面型結線構造
４００  蓄電装置の応用構造
４１０ａ〜４１０ｄ  第１の平面型結線構造
４２０ａ〜４２０ｄ  第２の平面型結線構造
５００  蓄電装置の応用構造
５１０ａ〜５１０ｄ  第１の平面型結線構造
５２０ａ〜５２０ｄ  第２の平面型結線構造
６００  蓄電装置の応用構造
６５０  蓄電素子
６５３  平面型正極端子
６５６  平面型負極端子
７００  蓄電装置の応用構造
７１０  第１の平面型結線構造
７２０  第２の平面型結線構造
８００  蓄電装置の応用構造
８１０ａ〜８１０ｄ  第１の平面型結線構造
８２０ａ〜８２０ｄ  第２の平面型結線構造
９００  蓄電装置の応用構造
９１０ａ〜９１０ｄ  第１の平面型結線構造
９２０ａ〜９２０ｄ  第２の平面型結線構造
【図１】
2010027589.tif 000003
【図２】
2010027589.tif 000004
【図３】
2010027589.tif 000005
【図４】
2010027589.tif 000006
【図５】
2010027589.tif 000007
【図６】
2010027589.tif 000008
【図７】
2010027589.tif 000009
【図８】
2010027589.tif 000010
【図９】
2010027589.tif 000011